(57)【要約】【課題】表示ユニット単位での調整が必要となった場合、１台の表示ユニットに調整のための操作機器（以下、リモコン）を接続することによって、表示ユニットが持っている発光素子毎の補正値の調整を簡単に可能とするものである。【解決手段】縦横複数の表示素子を埋め込んでなる表示ユニットを一単位として、これを複数ユニット組み合わせることにより構成された大型映像表示装置において、表示ユニット単位で各表示素子の輝度設定値を調整できる調整装置を備え、上記調整装置を上記輝度設定値の調整が必要な表示ユニットに接続することによって、表示ユニットごとに目視による設定値の調整を行えるようにした。【選択図】図１
2007218989.tif 000002
【特許請求の範囲】
【請求項１】
縦横複数の表示素子を埋め込んでなる表示ユニットを一単位として、これを複数ユニット組み合わせることにより構成された大型映像表示装置において、表示ユニット単位で各表示素子の輝度設定値を調整できる調整装置を備え、上記調整装置を上記輝度設定値の調整が必要な表示ユニットに接続することによって、表示ユニットごとに目視による設定値の調整を行えるようにした大型映像表示装置。
【請求項２】
上記表示ユニット単位で各表示素子の輝度設定値を調整できる調整装置は、上記輝度設定値の調整が必要な表示ユニットに有線で接続することを特徴とする請求項１に記載の大型映像表示装置。
【請求項３】
上記表示ユニット単位で各表示素子の輝度設定値を調整できる調整装置は、上記輝度設定値の調整が必要な表示ユニットに光で接続することを特徴とする請求項１に記載の大型映像表示装置。
【請求項４】
上記表示ユニット単位で各表示素子の輝度設定値を調整できる調整装置は、上記輝度設定値の調整が必要な表示ユニットに電波で接続することを特徴とする請求項１に記載の大型映像表示装置。
【請求項５】
上記表示ユニット単位で各表示素子の輝度設定値を調整できる調整装置は、パソコンにより構成し、上記輝度設定値の調整が必要な表示ユニットにトランシーバを介して接続することを特徴とする請求項１に記載の大型映像表示装置。
【請求項６】
上記表示ユニットにはそれを構成する表示素子個々の輝度のばらつきを補正する補正値メモリを備え、上記調整装置は上記表示ユニットのアドレスを指定してコマンドを送信するようにしたことを特徴とする請求項１〜５に記載の大型映像表示装置。
【発明の詳細な説明】
【技術分野】
【０００１】
この発明は、表示ユニットごとに輝度調整を可能とした大型映像表示装置に関するものである。
【背景技術】
【０００２】
従来の大型映像表示装置の輝度を調整するには、大型映像表示装置と周辺の制御装置などのシステム全体を稼動させて、調整のための操作機器を接続する必要があった。表示ユニット単体の調整を行う際にも、システム全体を稼動させる必要があるため、相当な電力を消費することになる（例えば特許文献１、特許文献２を参照）。また、複数の表示ユニットを同時に調整することができないため、個々の表示ユニットごとの調整となり、効率が悪くならざるを得なかった。更に、設営中などで大型映像表示装置を稼動することが難しい場合、調整が不可能となるといった問題点があった。
【０００３】
一方、表示素子個々の発光輝度のバラツキを補正する補正データを最適な値に調整する方法も提案されている（例えば特許文献３を参照）が、太陽電池を用いた大掛かりな輝度調整装置を必要としコスト高となっていた。また、表示素子の発光輝度のばらつきをメモリに蓄積された補正データを用いて補正することも既に提案されている（例えば特許文献４を参照）が、具体的な調整方法が明記されていない。
【０００４】
【特許文献１】特開平６−２３７４７７号公報
【特許文献２】特開平１１−２６２０３５号公報
【特許文献３】特開平９−１９８００７号公報
【特許文献４】特開平１１−３４４９４９号公報
【発明の開示】
【発明が解決しようとする課題】
【０００５】
この発明は上記のような諸点に鑑みてなされたものであり、表示ユニット単位での調整が必要となった場合、１台の表示ユニットに調整のための操作機器（以下、リモコン）を接続することによって、表示ユニットが持っている発光素子毎の補正値の調整を簡単に可能とするものである。
【課題を解決するための手段】
【０００６】
この発明は、縦横複数の表示素子を埋め込んでなる表示ユニットを一単位として、これを複数ユニット組み合わせることにより構成された大型映像表示装置において、表示ユニット単位で各表示素子の輝度設定値を調整できる調整装置を備え、上記調整装置を上記輝度設定値の調整が必要な表示ユニットに接続することによって、表示ユニットごとに目視による設定値の調整を行えるようにしたものでる。
【発明の効果】
【０００７】
調整範囲を１ドットに限定することにより、目視だけによる調整が可能となり、大型映像表示装置が設置された場所でも簡単に調整できる。また、表示ユニットごとに表示ユニット調整リモコンを光、または電波等で接続することが出来るため、表示ユニットを単体で調整することができ、また複数箇所の調整が同時進行的に実施可能となる。
【発明を実施するための最良の形態】
【０００８】
実施の形態１．
以下、この発明について図面を参照して説明する。図１はこの発明の実施の形態１による大型映像表示装置の輝度調整システムの全体構成図である。
図１において、大型映像表示装置１は、多数の表示ユニット３で構成された映像表示部２に映像を映し出している。また、この表示ユニット３は、その一部を取り出して拡大して示すように、多数の発光素子６により構成されており、表示ユニット調整リモコン４と電源装置５を接続することにより、表示ユニット３は単独で点灯や調整を行うことができる。
【０００９】
上記発光素子６は、素子毎に補正値という出力を調整する値（データ）を持っており、表示ユニット３の不揮発性の補正値メモリ（図３の２５参照）に記録されている。尚、発光素子６の出力値はこの補正値×輝度値（０〜１００％）で決定される。
図２は上記表示ユニット調整リモコン４の概略構成図を示しており、図中、１０は外部に対して各種設定の支持命令が出されるアンテナ/外部コネクタ、１１はボタン、１２は液晶ディスプレイ、１３は送受信インターフェース、１４はボタンインターフェース、１５は液晶インターフェース、１６はボタン１１からの入力に応じてコマンドを作成するための信号処理をするマイコンである。
【００１０】
また、図３は上記表示ユニット３の概略構成図を示しており、図中、２０はアンテナ/外部コネクタ、２１は外部映像コネクタ、２２は送受信インターフェース、２３は映像信号インターフェース、２４は発光素子のドライブ回路を構成する表示制御ＬＳＩ、２５はＥＥＰＲＯＭ等で構成された補正値メモリ、２６は上記表示ユニット調整リモコン４から受信したコマンドに基いて上記補正値メモリ２５のデータを信号処理し表示制御ＬＳＩ２４へのコマンドを作成するマイコンである。なお、発光素子６は表示ユニット３に埋め込まれた多数（図１では８×８の計６４個）の発光素子からなっている。
【００１１】
図２において、ボタン１１が押されると、これをボタンインターフェース１４を介してマイコン１６が検知して信号処理し、送受信インターフェース１３を介してアンテナ/外部コネクタ１０からコマンドを送出すると共に、液晶インターフェース１５を介して液晶ディスプレイ１２の表示を更新する。なお、ボタン１１はたとえば携帯電話の表示画面変更・確定ボタンのようなものでよく、簡単に液晶インターフェース１５の画面に表示されるコマンドを変更・確定できるようになっている。
【００１２】
図３の表示ユニット３においては、通常は外部映像コネクタ２１より映像信号インターフェース２３を介して映像信号を表示制御ＬＳＩ２４に取り込み、表示制御ＬＳＩ２４で発光素子６の点灯信号に変換して映像を表示しているが、アンテナ/外部コネクタ２０より、表示ユニット調整リモコン４からのコマンドを受信した場合は、送受信インターフェース２２を介してマイコン２５に取り込まれ、マイコン２５がコマンドを解析し、補正値メモリ２６情報の更新や、表示制御ＬＳＩ２４での表示制御を行うものである。
【００１３】
次に、上記発光素子６が点灯不良となった場合の具体的な調整方法について、表示ユニット３の各表示素子６の点灯状態を示している図４を参照しながら説明する。まず図４（a）において、いま、一つの赤色発光素子Ｘが不良となったと仮定する。上記不良の発光素子Ｘを良品と交換し、周辺の同色発光素子（ここでは黒塗りＲ）と同輝度となるように、交換した発光素子Ｙの補正値を調整して保存する必要がある。このためには、大型映像表示装置１より該当の表示ユニット３を取り外し、表示ユニット３に表示ユニット調整リモコン４と、電源装置５を接続する（図１参照）。
【００１４】
続いて、電源装置５の電源を投入し、表示ユニット調整リモコン４を用いて、交換した発光素子６と同色の素子を全点灯する（輝度値１００％）。この状態を図４（b）に示す。
次に、表示ユニット調整リモコン４を操作することによって、交換した発光素子の設定値（補正値）を調整して他の素子に合わせる。この状態が図４（c）である。最後に調整後の補正値を改めて補正値メモリ２６に再登録するよう書込み指示する。この状態を図４（d）に示す。
【００１５】
以上により明らかなように、この実施の形態１によれば、表示ユニット３の設定値を調整するためのリモコン４は、表示ユニット３と１対１で接続されるため、最小限の構成で輝度調整を行うことができ、従来の輝度調整システムのように大掛かりな装置を必要とせず、単純にボタンを押すとコマンドを送信するといった簡単な装置となり、小型で安価なものとなる。また、簡単な目視だけで発光素子６の補正値を調整することが可能となるため、従来のように、大型映像表示装置全体を稼動させる必要はなくなる。
【００１６】
実施の形態２．
次に、この発明の実施の形態２になる大型映像表示装置の輝度調整システムを図５の全体構成図により説明する。
なお、上記実施の形態１では、表示ユニット３を大型映像表示装置１より取り外し、表示ユニット３に表示ユニット調整リモコン４と、電源装置５を接続する場合について述べたが、実施の形態２では、図５で示すように、表示ユニット３と表示ユニット調整リモコン４を、赤外線などの光を用いて接続した例を示している。
【００１７】
このようにすることにより、表示ユニット３を大型映像表示装置１より取り外すことなく、表示ユニット３における発光素子の補正値を調整することができる。
具体的には、図６で示されるように、表示ユニット３前面の発光素子６間に、光信号送受光部７を組み込み、表示ユニット調整リモコン４の上部に光信号送受光部８を付加している。この２つの光信号送受光部７、８間を赤外線などの光によって通信を行っている。
【００１８】
ところで、実施の形態１では、表示ユニット調整リモコン４は、表示ユニット３と１対１で接続されていたが、実施の形態２では光で接続することにより、表示ユニット調整リモコン４が複数台の表示ユニット３に対して、同時進行的に通信が可能となるようにしている。図７はこの場合のアドレス付与による実現方法を示す概略説明図であり、図で示すように、どの表示ユニット３に対して制御を行いたいか、予め表示ユニット調整リモコン４で指定すれば、表示ユニット調整リモコン４から発信するコマンドに、制御したい特定の表示ユニットのアドレスを付加して送信することにより、指定した特定の表示ユニット３だけが制御できることとなる。例えば、アドレス（２，０）の表示ユニットのみ白点灯とし、他のユニットはアドレス不一致により無視するような仕組みにしている。
【００１９】
実施の形態３．
この発明の実施の形態３になる大型映像表示装置の輝度調整システムを図８により説明する。実施の形態２で述べてきた光での通信は、簡単な回路構成で実現できる反面、通信可能な角度が狭く、距離も短いといった欠点が存在した。そこで、図８で示すように、表示ユニット３と表示ユニット調整リモコン４間を送受信アンテナ９を介して電波で通信することにより、より広範囲で利用できるようにしたものである。図９は、表示ユニット３に送受信アンテナ９を埋め込んだ例を示している。
【００２０】
実施の形態４．
この発明の実施の形態４になる大型映像表示装置の輝度調整システムを図１０により説明する。図中、３０はパソコン、３１はトランシーバを示す。上記実施の形態１〜３では、表示ユニット３と表示ユニット調整リモコン４の接続について述べたが、表示ユニット調整リモコン４ではなく、図１０で示すように、パソコン３０にトランシーバ３１を接続して表示ユニット３と直接通信することにより、表示ユニット３の診断や設定値の保存を行うことも可能となる。
【００２１】
表示ユニット調整リモコン４を接続した時には、ユニット調整リモコン４で補正値の増減や不揮発性メモリへの書き込み、点灯の制御を行うコマンドを処理していたが、パソコン３０を接続することで、表示ユニット３の故障情報を返送するコマンドや、表示ユニット３の各種設定情報を返送するといった、表示ユニット３から情報を取得するコマンドを追加することで、表示ユニット３の保守を全般的に実施することが可能となり、メインテナンス性が向上する。表示ユニット調整リモコン４で使用していたコマンド以外にも追加することが可能であり、表示ユニット３の故障を検出したり、表示ユニット３の全設定情報を収集しパソコン３０の記憶装置に保存することができる。
【図面の簡単な説明】
【００２２】
【図１】この発明の実施の形態１による大型映像表示装置の輝度調整システムの全体構成図である。
【図２】図１における表示ユニット調整リモコンの概略構成図である。
【図３】図１における表示ユニットの概略構成図である。
【図４】上記実施の形態１による大型映像表示装置の輝度調整方法を表示ユニットの各表示素子の点灯状態により説明する図である。
【図５】この発明の実施の形態２になる大型映像表示装置の輝度調整システムの全体構成図である。
【図６】上記実施の形態２において、光信号送受光部の組込み状態を示す概略構成図である。
【図７】上記実施の形態２において、アドレス付与による実現方法を示す概略説明図である。
【図８】この発明の実施の形態３になる大型映像表示装置の輝度調整システムの全体構成図である。
【図９】この発明の実施の形態３において、表示ユニットへの送受信アンテナの埋め込み状態を示す概略説明図である。
【図１０】この発明の実施の形態４になる大型映像表示装置の輝度調整システムの全体構成図である。
【符号の説明】
【００２３】
１      大型映像表示装置、      ２      映像表示部、
３      表示ユニット、          ４      表示ユニット調整リモコン、
５      電源装置、              ６      発光素子、
７、８  光信号送受光部、        ９      送受信アンテナ、
１１    ボタン、                １６、２６      マイコン、
２５    補正値メモリ            ３０    パソコン、
３１    トランシーバ。
【図１】
2007218989.tif 000003
【図２】
2007218989.tif 000004
【図３】
2007218989.tif 000005
【図４】
2007218989.tif 000006
【図５】
2007218989.tif 000007
【図６】
2007218989.tif 000008
【図７】
2007218989.tif 000009
【図８】
2007218989.tif 000010
【図９】
2007218989.tif 000011
【図１０】
2007218989.tif 000012